(57)【要約】【課題】浄水器を収納し得る流し台であって、流し台シンク下方の収納スペースを減少することがなく、浄水器用カートリッジを交換しやすく、かつ流し台シンク側面と流し台側面パネル間の空間をキッチン用品の収納スペースとして活用し得る流し台を提供する。【解決手段】少なくともシンク、水栓および側面パネルを有する流し台であって、前記シンク側面と前記側面パネルとの間の空間を収納空間とする引き出しを有し、前記引き出しは、濾材を収納する浄水器用フィルタカートリッジを着脱可能に装着し得るホルダを備えることを特徴とする流し台。【選択図】図１
2016096947.tif 000002
【特許請求の範囲】
【請求項１】
少なくともシンク、水栓および側面パネルを有する流し台であって、
前記シンク側面と前記側面パネルとの間の空間を収納空間とする引き出しと、
濾材を収納する浄水器用フィルタカートリッジを前記引き出しの内側から着脱可能に装着し得る開口部を有し前記引き出しに設けられるホルダと、を備えた流し台。
【請求項２】
前記ホルダが、前記引き出しを構成するいずれかの面に固定された請求項１の流し台。
【請求項３】
前記ホルダが、前記浄水器用フィルタカートリッジを着脱可能に装着し得る浄水器用フィルタカートリッジ接続部、および、前記引き出しを構成するいずれかの面に固定可能である固定部を有し、
前記浄水器用フィルタカートリッジ接続部が、前記固定部に対して回転可能に取り付けられた請求項２の流し台。
【請求項４】
浄水器用フィルタカートリッジを有し、
前記浄水器用フィルタカートリッジはＬ字型形状の先端部を有し、
前記ホルダが、前記浄水器用フィルタカートリッジを着脱可能に装着し得る浄水器用フィルタカートリッジ接続部を有し、
前記浄水器用フィルタカートリッジが、その先端部が前記ホルダに差し込まれた状態で、前記ホルダに対して回転可能に装着された請求項２の流し台。
【請求項５】
前記引き出しが背面板を備え、
前記背面板が、開口を有し、かつ、前記引き出しの前記背面板以外部分に着脱可能に取り付けられた請求項１〜４のいずれかの流し台。
【請求項６】
前記引き出しが、仕切り部材を備えた請求項１〜５のいずれかの流し台。
【請求項７】
前記仕切り部材が、前記引き出し内の空間を水密に仕切る請求項６の流し台。
【発明の詳細な説明】
【技術分野】
【０００１】
本発明は、水道水を浄化する浄水器を収納する流し台に関する。
【背景技術】
【０００２】
従来、水道水を浄化する浄水器としては、水道水栓の吐出口に直結する蛇口直結型浄水器、流し台の上に置いて使用する据置型浄水器、流し台の中に置いて使用するアンダーシンク型（またはビルトイン型）浄水器などが知られている。いずれも浄水器用カートリッジに充填した濾材は処理できる総濾過水量が限られているため、使用者は、浄水器用カートリッジを定期的に交換しながら浄水器を継続使用する。
【０００３】
アンダーシンク型浄水器は、蛇口直結型浄水器や据置型浄水器に比べて大型であり、処理できる総濾過水量も大きいため長期間使用できる。流し台の水栓やシンク近傍に浄水器を置かないので、作業の邪魔にならない。
【０００４】
アンダーシンク型浄水器としては、例えば特許文献１のように、浄水器用カートリッジを流し台シンク下方の収納空間の底面に置き、原水供給用ホースと浄水吐出用ホースとで水栓に接続して使用するものが知られている。
【０００５】
また、シンクの下方空間に引き出しを設けた近年主流の流し台においては、特許文献１にように浄水器を配置することが困難なため、特許文献２にように、その引き出しにアンダーシンク型浄水器を取り付けることが提案されている。
【０００６】
さらに、特許文献１のような配置では、流し台下方の収納空間が減少するし、浄水器カートリッジの交換も、流し台下方の収納空間に潜り込んで行うので、やりづらいなどの問題から、特許文献３や特許文献４のように、流し台シンク側面と流し台側面パネル間の空間に、浄水器を設置することも提案されている。
【先行技術文献】
【特許文献】
【０００７】
【特許文献１】特開２００７−２７５８１４号公報
【特許文献２】特開２００５−２３２８７３号公報
【特許文献３】特開２００６−１６９７８４号公報
【特許文献４】特開２００９−２６３８６２号公報
【発明の概要】
【発明が解決しようとする課題】
【０００８】
しかしながら、特許文献２に記載の構成では、流し台シンク下方の引き出しの収納スペースが減少してしまう問題がある。また、特許文献３に記載の構成では、流し台の天板部の下部に浄水器を固定しているので、浄水器用カートリッジの交換に際しては、流し台下方の収納空間に潜り込んで行う必要があり、やりづらいという問題は解消していない。さらに、特許文献４に記載の構成では、流し台シンク側面と流し台側面パネル間の空間に浄水器を収納し、前面パネルに設けられた挿入口から浄水器用カートリッジを容易に交換できるようにしているものの、流し台シンク側面と流し台側面パネル間の空間をキッチン用品の収納スペースとして活用できていないという問題がある。
【０００９】
本発明は、上述のような問題点に鑑み、浄水器を収納し得る流し台であって、流し台シンク下方の収納スペースを減少することがなく、浄水器用カートリッジを交換しやすく、かつ流し台シンク側面と流し台側面パネル間の空間をキッチン用品の収納スペースとして活用し得る流し台を提供することを目的とする。
【課題を解決するための手段】
【００１０】
前記課題を解決するため、本発明の浄水器は下記の構成から成る。すなわち、
（１）少なくともシンク、水栓および側面パネルを有する流し台であって、前記シンク側面と前記側面パネルとの間の空間を収納空間とする引き出しと、濾材を収納する浄水器用フィルタカートリッジを前記引き出しの内側から着脱可能に装着し得る開口部を有し前記引き出しに設けられるホルダと、を備えた流し台。
（２）前記ホルダが、前記引き出しを構成するいずれかの面に固定されていると好ましい。
（３）前記ホルダが、前記浄水器用フィルタカートリッジを着脱可能に装着し得る浄水器用フィルタカートリッジ接続部、および、前記引き出しを構成するいずれかの面に固定可能である固定部を有し、前記浄水器用フィルタカートリッジ接続部が、前記固定部に対して回転可能に取り付けられていると好ましい。
（４）浄水器用フィルタカートリッジを有し、前記浄水器用フィルタカートリッジはＬ字型形状の先端部を有し、前記ホルダが、前記浄水器用フィルタカートリッジを着脱可能に装着し得る浄水器用フィルタカートリッジ接続部を有し、前記浄水器用フィルタカートリッジが、その先端部が前記ホルダに差し込まれた状態で、前記ホルダに対して回転可能に装着されていると好ましい。
（５）前記引き出しが背面板を備え、前記背面板が、開口を有し、かつ、前記引き出しの前記背面板以外部分に着脱可能に取り付けられていると好ましい。
（６）前記引き出しが、仕切り部材を備えていると好ましい。
（７）前記仕切り部材が、前記引き出し内の空間を水密に仕切ると好ましい。
【発明の効果】
【００１１】
本発明は、上記の構成により以下の優れた効果を奏することができる。すなわち、
上記（１）の構成により、流し台シンク下方の収納スペースを減少することがなく、従来デッドスペースになりがちだったシンクの側面と流し台の側面パネルとの間の空間も、引き出しが設置され、浄水器収納スペースおよびキッチン用品収納スペースとして活用することができ、かつ浄水器用カートリッジを交換しやすい流し台を提供することができる。
また、上記（２）の構成により、浄水器用フィルタカートリッジをより交換しやすい流し台を提供することができる。
また、上記（３）の構成により、浄水器用フィルタカートリッジを着脱する際に、浄水器用フィルタカートリッジの第３中心軸を、引き出しに対して起き上がらせることとなるので、浄水器用フィルタカートリッジをさらに交換しやすい流し台を提供することができる。
また、上記（４）の構成により、浄水器用フィルタカートリッジを着脱する際に、浄水器用フィルタカートリッジの第５中心軸を、引き出しに対して起き上がらせることとなるので、浄水器用フィルタカートリッジをさらに交換しやすい流し台を提供することができる。
また、上記（５）の構成により、後付けで、浄水器を引き出し内に設置する場合にも、背面板を単独で引き出しから取り外し、背面板に加工を行うことができ便利であり、また、別の種類の浄水器に付け替える場合にも、古い背面板を、新しい浄水器の取り付けに適した背面板に交換することで対応可能な流し台を提供することができる。
また、上記（６）の構成により、浄水器収納部分と区分けして、キッチン用品スペースを明確に確保できて、整理した収納が可能である流し台を提供することができる。
また、上記（７）の構成により、浄水器用フィルタカートリッジの交換時などにおいて、万一少し水漏れがあっても、収納しているキッチン用品や引き出しそのものが濡れてしまうことを防ぐことができる。
【図面の簡単な説明】
【００１２】
【図１】本発明の第１の実施形態に係る流し台の全体構成を示した斜視図である。
【図２】図１の流し台が有する浄水器を収納する引き出しの断面とその周辺部の斜視図である。
【図３】本発明の第１の実施形態に係る浄水器を収納する引き出しの断面の斜視図である。
【図４】本発明の第１の実施形態に用いることができる浄水器、原水ホースおよび浄水ホースの一例の斜視図である。
【図５】図４の浄水器に用いることができる浄水器用フィルタカートリッジの一例の斜視図である。
【図６】図1の流し台が有する浄水器用フィルタカートリッジ接続部の一例の斜視図である。
【図７】図１の流し台が有する固定部の一例の斜視図である。
【図８】浄水器用フィルタカートリッジ着脱時における図１の流し台の有する浄水器を収納する引き出しの断面とその周辺部の斜視図である。
【図９】本発明の第２の実施形態に係る流し台が有する浄水器を収納する引き出しの断面とその周辺部の斜視図である。
【図１０】本発明の第２の実施形態に係る浄水器を収納する引き出しの断面の斜視図である。
【図１１】本発明の第３の実施形態に係る浄水器を収納する引き出しの断面の斜視図である。
【発明を実施するための形態】
【００１３】
以下、本発明の実施形態例を、図面を参照しながら説明する。以下の説明で、使用者が流し台に面して使用する状態で立った時、流し台に関する面や方向について、流し台の使用者側を前面（または前方）、流し台の使用者から離れた奥側を背面（または後方）、流し台の使用者からみて左側を左側面（または左側方）、および、流し台の使用者からみて右側を右側面（または右側方）と定義することとする。
【００１４】
図１は、本発明の第１の実施形態に係る流し台の全体構成を示した斜視図である。
【００１５】
流し台１は、シンク７、水栓８および側面パネル９を有し、さらに、シンク７の側面と流し台１の側面パネル９との間の空間を収納空間とする引き出し６（以下、引き出し６とする）を有している。また、引き出し６は濾材を収納する浄水器用フィルタカートリッジを着脱可能に装着し得るホルダを備えている。また、引き出し６には、浄水器２が収納される。浄水器２は、後述するように、濾材を収納する浄水器用フィルタカートリッジ３と、その浄水器用フィルタカートリッジ３を引き出し６の内側から着脱可能に装着し得る開口部を有するホルダ５を備えている。浄水器２と水栓８とは可撓性の原水ホース１１（図１では図示せず）と可撓性の浄水ホース１２（図１では図示せず）とで接続されている。
【００１６】
流し台１はこのような構成のため、シンク７の下方の収納スペース（本実施形態例では引き出しタイプの収納スペース）は、従来のように浄水器設置で減少することなく、有効に活用される。また、従来デッドスペースになりがちだったシンクの側面と流し台の側面パネルとの間の空間も、引き出し６が設置され、その中に浄水器２を収納することが可能であり、浄水器収納スペースおよび小物等のキッチン用品収納スペースとして有効活用することが可能となっている。さらに、本発明の流し台は、引き出し６を開けるだけで、収納される浄水器２に、すぐにアクセスでき、しかも、引き出し６は、浄水器用フィルタカートリッジ３を引き出し６の内側から着脱可能に装着し得る開口部を有するホルダ５を備えているので、浄水器用フィルタカートリッジ３は容易に交換され得る。
【００１７】
引き出し６は、流し台１の本体に対し、公知のスライドレール構造や、単純なスライド溝とスライド凸の構造（図示せず）などによって、自在に開け閉めできるように構成されている。
【００１８】
原水ホース１１（図１では図示せず）と浄水ホース１２（図１では図示せず）は、引き出し６の開け閉めの動きに追随できる長さと可撓性を有している。原水ホース１１（図１では図示せず）と浄水ホース１２（図１では図示せず）の中間部分が、引き出し６の後方に位置する流し台１の背面パネルの内側面に設けられており上記の両ホースを挿通自在とする支持部材によって、支持されることは好ましい形態である。こうすると、引き出し６の開け閉めに際して、原水ホース１１と浄水ホース１２とが、引き出し６や、流し台内の他の構造物や収納物に引っ掛かったりすることを抑制することができる。
【００１９】
次に、浄水器２の構成、および浄水器２の引き出し６への収納・設置について説明する。
【００２０】
図２は、図１の流し台が有する浄水器を収納する引き出しの断面とその周辺部の斜視図である。また、図３は、図１の流し台が有する浄水器を収納する引き出しの断面の斜視図である。ここで、上述のとおり、浄水器２は浄水器用フィルタカートリッジ３およびホルダ５とからなり、ホルダ５は浄水器用フィルタカートリッジ接続部４と固定部１０とからなる。ここで、本願における浄水器を収納する引き出しの断面の斜視図は、引き出しの右側面板を外したものの斜視図となっている。
なお、本発明の流し台において、ホルダは引き出し６を構成するいずれかの面に固定されていてもよいし、固定されていなくてもよい。ここで、ホルダが引き出し６を構成するいずれかの面に固定されていない場合には、ホルダは固定部を有しなくてもよい。浄水器用フィルタカートリッジの着脱がよりし易くなる等の観点から、ホルダは後述するように固定部を有し、さらに、ホルダは、引き出し６を構成するいずれかの面に固定されている態様であることが好ましい。
【００２１】
本発明の流し台の第１の実施形態では、ホルダ５は引き出し６を構成する背面板４１の内側面に固定されている。より詳しくは、ホルダ５は浄水器用フィルタカートリッジ接続部４と固定部１０とから構成され、浄水器用フィルタカートリッジ３は浄水器用フィルタカートリッジ接続部４に着脱可能に装着され、また、固定部１０が背面板４１の内側面に固定されている。
【００２２】
また、浄水器用フィルタカートリッジ３には、原水（水道水）を浄化して浄水とするための濾材（図示せず）が収納されている。濾材としては、活性炭などの吸着材と中空糸膜などの濾過膜とが使用されている。ここで、図４は、本発明の流し台の第１の実施形態で用いることができる浄水器、原水ホースおよび浄水ホースの一例の斜視図である。図５は、本発明の流し台の第１の実施形態で用いることができる浄水器用フィルタカートリッジの一例の斜視図である。図５に示すように、浄水器用フィルタカートリッジ３の外形は略円柱状であり、その長手方向の一方の端部（先端部２２）には、原水入口１７が設けられ、外周には先端付近側から順に、小径Ｏリング２３、浄水出口１８、大径Ｏリング２４、バヨネット機構としての凸部２５が設けられている。
【００２３】
次に、図４に示すように、浄水器用フィルタカートリッジ接続部４は、略有底円筒状であり、浄水器用フィルタカートリッジ３の先端部２２を受け入れ水密に係合する円形開口２７、および浄水器用フィルタカートリッジ３のバヨネット機構としての凸部２５を受け入れ、バヨネット接続するバヨネット機構としての凹部２６を有する。また、浄水器用フィルタカートリッジ接続部４は端部に、原水導入部１３と浄水導出部１４とを有し、それらは、浄水器用フィルタカートリッジ接続部４の内部に形成される原水流路と浄水流路を経由して、それぞれ浄水器用フィルタカートリッジ３の原水入口１７と浄水出口１８とに連通する。さらに、原水導入部１３と浄水導出部１４には、水栓８に繋がる原水ホース１１と浄水ホース１２がそれぞれ接続される。図３、図４において、原水ホース１１と浄水ホース１２は浄水器２に繋がる一部分のみが描かれている。以上の浄水器用フィルタカートリッジ３と浄水器用フィルタカートリッジ接続部４との構造により、両者はバヨネット機構による接続がなされ、浄水器用フィルタカートリッジ３は浄水器用フィルタカートリッジ接続部４に対して、第１中心軸２０回りに回転させることにより、容易に着脱することができる。また、浄水器用フィルタカートリッジ接続部４の外周には固定部１０が設けられている。ここで、本発明における第１中心軸とは、本発明の流し台の有する浄水器用フィルタカートリッジ接続部に浄水器用フィルタカートリッジが装着された時、浄水器用フィルタカートリッジの長手方向の中心軸（後述の第３中心軸３３）と重なる軸をいう。
【００２４】
次に、図６は、図１の流し台が有する浄水器用フィルタカートリッジ接続部の一例の斜視図である。また、図７は、図１の流し台が有する固定部の一例の斜視図である。ここで、  図４、図６に示すように、浄水器用フィルタカートリッジ接続部４の外周には、第１中心軸２０と垂直である第２中心軸２１上に、一対の回転軸穴２８を１８０度逆向きに開口させている。この第１の実施形態では、特に第２中心軸は第１中心軸と交差し直交している。一方、図４、図７に示すように、固定部１０では、その一対のＬ字型部材２９に、回転軸３０が第２中心軸２１上でその先端同士が向かい合うように設けられ、回転軸穴２８に回転可能に嵌合している。また、回転軸穴２８の内周面には、リング状のゴム部材３１が配設されていて、回転軸３０と回転軸穴２８の回転抵抗を増大させ、その回転抵抗を適切なものとしている。この構造により、浄水器用フィルタカートリッジ接続部４に装着される浄水器用フィルタカートリッジ３は、浄水器フィルタカートリッジ接続部４と一体的に、固定部１０に対して第２中心軸２１回りに回転させることができる。このような構成とすることで、浄水器用フィルタカートリッジ３をホルダ５に着脱する際に、浄水器用フィルタカートリッジ３の第３中心軸３３を、引き出し６の底面板４５に対して起き上がらせることとなるので、浄水器用フィルタカートリッジの取り替え作業がより容易なものとすることができると同時に、収納時には、浄水器用フィルタカートリッジの第３中心軸３３を引き出し６の底面板に対し平行とすることができ、引き出し６を閉める際に邪魔にならず収納性により優れたものとすることができる。ここで、第３中心軸３３とは、浄水器用フィルタカートリッジの長手方向に平行な略円柱状の浄水器用フィルタカートリッジの中心軸をいう。
【００２５】
後述する浄水器用フィルタカートリッジ３の交換を実行しやすい所定の回転角度（例えば、引き出し６の底面板４５と水平な角度から１０度〜９０度の起き上がった角度）で、浄水器用フィルタカートリッジ３が停止できるよう、回転軸穴２８と回転軸３０とに回転停止機構を設けることは好ましいことである。例えば、回転軸３０の（嵌合していない）外周面に凸部を設け、回転軸穴２８の端面（または外周部）の所定回転角度位置に凹部を持った部材を張り出して設け、所定回転角度位置で、それら、凸部と凹部が嵌合して、回転が停止する回転停止機構などが採用できる。
【００２６】
本発明の流し台の第１の実施形態では、固定部１０のＬ字型部材２９の足部分３２は、引き出しの背面板４１の内側面に固定されている。もちろん、固定部１０のＬ字型部材２９の足部分３２を引き出し６の底面板４５に固定する構成も可能である。また、浄水器用フィルタカートリッジ３の回転の起き上がり角度を９０度とする構成ならば、フィルタカートリッジ３の収納状態での向きを上述と前後逆にすることができる。その場合には、引き出し６の前面板の内側面にＬ字型部材２９の足部分３２を固定することも可能である。固定する前面タッピンネジ、ボルト・ナット、両面テープ、接着剤など、固定方法は特に限定されないが、確実に固定するためには、ネジやボルトを用いて固定するのが良い。
【００２７】
浄水器２は収納状態では、浄水器用フィルタカートリッジ３の第３中心軸３３が引き出し６の底面板４５と平行になるように浄水器２を引き出し６内に配置することが適切である。また、引き出し６の長手方向と浄水器用フィルタカートリッジ３の第３中心軸３３が平行となるように浄水器２を引き出し６内に配置することも、浄水器２の引き出し６への収納をし易くする配置として適切である。ここで、本発明の第１の実施形態における引き出し６の長手方向とは、流し台１の前後方向と平行するものである。さらに、できるだけキッチン用品の収納スペースが確保できるように、浄水器２が引き出し６の内壁面に近くなるよう配置することも好ましい。そのような配置が可能なように、固定部１０の固定位置と向きは決められる。
【００２８】
また、浄水器用フィルタカートリッジ３の第３中心軸３３が引き出し６の底面板４５と平行になるように収納するために、図３に示すように、浄水器２の支持部４２を設置することも好ましい。支持部４２は、引き出し６の底面板４５に固定されるのが好ましい。もちろん上記の目的が達成されるのであれば、支持部４２は引き出し６の側面板または浄水器用フィルタカートリッジ３に固定されても良い。また、支持部４２が弾性を有した、略半円環状の部材であって、浄水器用フィルタカートリッジ３の外周面を挟み込むように保持する機能を有することは好ましい。このように保持できると、浄水器使用中の微振動で、浄水器が揺れ動いたりすることを防ぐことができる。
【００２９】
背面板４１には、原水ホース１１と浄水ホース１２（すなわち、水栓８から濾材までの流路）を通す開口４３が設けられている。こうすることで、ホース配設の経路が短くなり、配設工事も行いやすいし、引き出し６を開け閉めした時でも、ホースが引き出し壁面の角と干渉して、折れ曲がったりする可能性を低減できる。この背面板４１の開口は、図３に示すような周囲が閉じた孔ではなく、一端が開放した切り欠き状であってもよい。
【００３０】
また、背面板が引き出しの背面板以外部分と着脱可能であることも好ましい。例えば引き出しの両側面板の背面側端部の内面に縦溝が設けられ、その縦溝に背面板が上部から差し込める構造が採用できる。こうすると、後付けで、浄水器を引き出し内に設置する場合にも、背面板を単独で引き出しから取り外し、背面板に加工を行うことができ、便利である。また新しい背面板に加工を行い、別の浄水器に交換するということも行い易い。
【００３１】
図３に示すように、引き出し６は、浄水器２との間に仕切り部材４４を備えることも好ましい。こうすると、浄水器収納部分と区分けして、キッチン用品スペースを明確に確保できて、整理した収納が可能である。さらに、仕切り部材４４が、浄水器２と引き出し６とを水密に仕切ることも好ましい。例えば、仕切り部材４４と引き出し６との接触部に水密用のシール部材（ゴムパッキン等）を介在させることが好ましい。また、仕切り部材が上部開放の箱型になっていて、浄水器を収容できる構造となっており、引き出しと水密に仕切る構造が採用できる。この場合、箱型仕切り部材の原水ホース、浄水ホース貫通部分にシール材を介在させる。このように水密に仕切れると、浄水器用フィルタカートリッジ３の交換時などにおいて、万一少し水漏れがあっても、収納しているキッチン用品や引き出し６そのものが濡れてしまうことを防ぐことができる。
【００３２】
次に、本発明の流し台の第１の実施形態における、浄水器用フィルタカートリッジ３の交換について説明する。
【００３３】
最初に、まず引き出し６を開ける。すると、浄水器２が容易にアクセスできる形で現れるので、浄水器２の浄水器用フィルタカートリッジ３を把持し、浄水器用フィルタカートリッジ３と浄水器用フィルタカートリッジ接続部４とを一体的に、固定部１０に対して第２中心軸２１回りに回転させる。浄水器用フィルタカートリッジ接続部４と固定部１０とに、上述のような回転停止機構がある場合には、その所定角度まで回転した所で回転は止まる。浄水器用フィルタカートリッジ３が見やすく、扱いやすい位置に停止するので、浄水器用フィルタカートリッジ３の交換作業はより容易になる。図８は、浄水器用フィルタカートリッジ着脱時における図１の流し台が有する浄水器を収納する引き出しの断面とその周辺部分の斜視図である。
【００３４】
この状態で、使用済みの浄水器用フィルタカートリッジ３を反時計回りに９０度回すと、上述のバヨネット機構により使用済みの浄水器用フィルタカートリッジ３が浄水器用フィルタカートリッジ接続部４から容易に外れる。
【００３５】
次に、未使用の浄水器用フィルタカートリッジ３を浄水器用フィルタカートリッジ接続部４に取り付ける。未使用の浄水器用フィルタカートリッジ３の先端部２２のバヨネット機構としての凸部２５を、浄水器用フィルタカートリッジ接続部４のバヨネット機構としての凹部２６に挿入し、先端部２２が浄水器用フィルタカートリッジ接続部４の円形開口２７の奥部に到達した感触を得てから、未使用の浄水器用フィルタカートリッジ３を時計回りに９０度回すと、未使用の浄水器用フィルタカートリッジ３を浄水器用フィルタカートリッジ接続部４に容易にかつ確実に取り付けることができる。
【００３６】
最後に、交換した浄水器用フィルタカートリッジ３を把持し、浄水器用フィルタカートリッジ３と浄水器用フィルタカートリッジ接続部４とを一体的に、固定部１０に対して第２中心軸２１回りに、最初とは逆方向に回転させる。そして、支持部４２に浄水器用フィルタカートリッジ３が支持される状態にした後、引き出し６を閉めて、浄水器用フィルタカートリッジ３の交換作業が完了する。
【００３７】
次に、浄水器２での水道水（原水）の浄化について説明する。
【００３８】
水栓８のレバーを回すなどして開栓すると、水道水が、原水ホース１１と、浄水器用フィルタカートリッジ接続部４を介して、浄水器用フィルタカートリッジ３の原水入口１７に流入し、濾材に至る。濾材としての吸着材によって水道水中の遊離残留塩素が分解され、同時に水道水中の揮発性有機物が吸着除去される。また、濾材としての中空糸膜によって水中の濁質や細菌が捕捉、除去される。これら濾材を通過したできた浄水は浄水器用フィルタカートリッジ３の浄水出口１８から吐出され、浄水器用フィルタカートリッジ接続部４、浄水ホース１２を介して水栓８の吐出口から吐出される。こうして使用者は美味しくて安全な浄水を得ることができる。
【００３９】
以下、浄水器の構成、および浄水器の引き出しへの収納・設置に関する、本発明の流し台の他の実施形態例について説明する。
【００４０】
本発明の流し台の第２の実施形態は、本発明の流し台の第１の実施の形態とは、浄水器を収納する引き出しの構造が異なる。図９は、本発明の第２の実施形態に係る流し台の浄水器を収納する引き出しの断面とその周辺部の斜視図である。また、図１０は、本発明の第２の実施形態に係る流し台の浄水器を収納する引き出しの断面の斜視図である。図９および１０に示すように、浄水器１０２は、ホルダ１０５と、浄水器用フィルタカートリッジ１０３とを備えている。そして、ホルダ１０５は引き出し１０６を構成する背面板１４１の外側面に固定されている。上述の図３の浄水器２では、ホルダ５は浄水器用フィルタカートリッジ接続部４と固定部１０とから構成され、固定部１０が背面板４１の内側面に固定されていた。それに対し図９および図１０の浄水器１０２では、ホルダ１０５は、浄水器用フィルタカートリッジ接続部および固定部を有するものの浄水器用フィルタカートリッジ接続部１０４と固定部とは一体となっている、または、浄水器用フィルタカートリッジ接続部１０４が固定部の機能を兼ね備えている。そして浄水器用フィルタカートリッジ接続部１０４そのものが直接、背面板４１の外側面に固定される実施形態となっている。また、引き出し１０６の背面板１４１には、背面板１４１の内側面から浄水器用フィルタカートリッジを浄水器用フィルタカートリッジ接続部に連結させるための貫通孔（開口１４３）が設けられている。また、この実施形態は、仕切り部材と支持部を備えていないものとなっている。なお、この第２の実施形態においても、引き出しが備えるホルダ１０５が有する開口部に、浄水器用フィルタカートリッジを引き出しの内側から着脱可能に装着することができる。
【００４１】
第２の実施形態においても、浄水器用フィルタカートリッジ１０３と浄水器用フィルタカートリッジ接続部１０４とは、第１の実施形態と同様にバヨネット機構によって、容易に着脱することができる。
【００４２】
引き出し１０６の背面板１４１に設けられた、フィルタカートリッジ１０３の先端部が挿通できる開口１４３は、水栓から濾材までの流路を通す開口としての機能も有している。
【００４３】
第２の実施形態であっても、フィルタカートリッジ１０３は、引き出し１０６を開け、フィルタカートリッジ１０３をバヨネット機構により、フィルタカートリッジ接続部１０４から回転して外し、少し前方に引き出すだけで、取り出して交換することができるので、その交換は容易である。
【００４４】
図１１は、本発明の第３の実施形態に係る流し台が有する浄水器を収納する引き出しの断面の斜視図である。また、図１１は、浄水器２０２が引き出しに収納されている状態を示している。本発明の流し台の第３の実施形態においては、浄水器２０２は、浄水器用フィルタカートリッジ２０３およびホルダ２０５を備えている。
【００４５】
そして、浄水器用フィルタカートリッジ２０３は、その一方の端部（先端部２２２）に、Ｌ字型継手状の原水入口２１７およびＬ字型継手状の浄水出口２１８を有している。
【００４６】
また、ホルダ２０５は、Ｌ字型継手状の原水入口２１７と浄水出口２１８とが差込まれる凹部を有している。より詳しくは凹部は２つの孔よりなる。このような差込み機構により、浄水器用フィルタカートリッジ２０３は、ホルダ２０５に着脱可能に接続され得る。すなわち、この第３の実施形態においても、引き出しが備えるホルダ２０５が有する開口部に、浄水器用フィルタカートリッジを引き出しの内側から着脱可能に装着することができる。
【００４７】
ホルダ２０５は原水入口２１７等を備える面の裏側の面を介して引き出し２０６の底面板の２４５に固定されている。本発明の第３の実施形態でも、この実施形態のホルダは、本発明の第２および第３の実施形態と同様に、浄水器用フィルタカートリッジ接続部と固定部とが一体となっている、または、浄水器用フィルタカートリッジ接続部が固定部の機能を兼ね備えている。また、ホルダ２０５は、その内部に原水ホース１１と原水入口２１７とを通水可能に繋ぐ流路を有し、また、その内部に浄水ホース１２と浄水出口２１８とを通水可能に繋ぐ流路を有している。すなわち、水栓、原水ホース１１、ホルダ２０５、原水入口２１７および浄水器用フィルタカートリッジ２０３は通水可能であり、浄水器用フィルタカートリッジ２０３、浄水出口２１８、ホルダ２０５、浄水ホース１２および水栓も通水可能となっている。なお、ホルダ２０５に差し込まれる原水入口２１７と浄水出口２１８は、それぞれ差し込みの端部付近にＯリングを有し、そのＯリングが、原水入口２１７と浄水出口２１８と、ホルダ２０５との接続を水密なものとしている。
【００４８】
また、本発明の第３の実施形態においては、支持部２４２を有している。上記の支持部２４２は、本発明の第３の実施形態において必須のものではないが、浄水器用フィルタカートリッジ２０３とホルダ２０５の差込み固定をより強固なものとする観点から、支持部を設けることが好ましい。ここでは、支持部２４２は、引き出し２０６の底面板２４５の内側に固定されており、クランプ部材２４６がボルト等で締結されたものを例示している。クランプ部材２４６により、浄水器用フィルタカートリッジ２０３はホルダ２０５へと押圧される。ここで、浄水器用フィルタカートリッジ２０３の胴体部分の下面側とそれに面する支持部２４２の上面側との間には、バネ機構が設けられ、浄水器用フィルタカートリッジ２０３をホルダ２０５から取り外す方向に付勢することは好ましい。こうすると、フィルタカートリッジ２０３をホルダ２０５から取り外す際、クランプ部材２４６を外すと、上記のバネ機構による付勢力の助勢を受けるので、ホルダ２０５に差し込まれた浄水器用フィルタカートリッジ２０３をホルダ２０５から抜き出し易くなる。
【００４９】
また、引き出し２０６の背面板２４１には、原水ホース１１と浄水ホース１２が挿通できる開口２４３が設けられており、背面板２４１は浄水器用フィルタカートリッジと水栓とを繋ぐ流路を通す開口を有していることになる。
【００５０】
図１１の実施形態でも、浄水器用フィルタカートリッジ２０３の交換は、引き出し２０６を開け、差込み機構によりホルダ２０５に接続された浄水器用フィルタカートリッジ２０３の原水入口２１７と浄水出口２１８をホルダ２０５の有する孔から、それぞれ抜き出して外すだけで、取り出して交換することができるので、その交換は容易である。
【００５１】
この図１１に例示された本発明の第３の実施形態では、ホルダ２０５は、底面板２４５の内側面に固定される形態となっているが、引き出し２０６を構成する他のいずれかの面に固定されていてもよい。例えば、引き出し２０６を構成する左右いずれかの側面板の内側面にホルダおよび支持部の両方を固定する形態としてもよい。この場合、浄水器用フィルタカートリッジ２０３は、上記差込み機構により、ホルダ２０５に対して横方向（側方）に着脱される。
【００５２】
さらに、図示はしないが、本発明の第４の実施形態に係る流し台について、説明する。
【００５３】
本発明の第４の実施形態に係る流し台が有する浄水器を収納する引き出しでは、ホルダが浄水器を収納する引き出しの左右のいずれかの側面板の内側面に固定されており、浄水器用フィルタカートリッジとホルダはバヨネット機構により着脱可能となっている。この実施形態のホルダは、本発明の第２および第３の実施形態と同様に、浄水器用フィルタカートリッジ接続部と固定部とが一体となっている、または、浄水器用フィルタカートリッジ接続部が固定部の機能を兼ね備えている。また、この実施形態のホルダは、浄水器用フィルタカートリッジの先端部受け入れ用の円形開口およびバヨネット機構としての凹部を有している。また、上記の円形開口およびバヨネット機構としての凹部は、ホルダの引き出しの側面板の内側面に固定されている面の裏側の面に配されている。また、上記のホルダは、原水ホースおよび浄水ホースを介して水栓と連結している。
【００５４】
また、この実施形態では、浄水器用フィルタカートリッジの、バヨネット機構としての凸部を有した先端部はＬ字型形状となっており、先端部のＬ字状に曲がった先の部分（以下、先の部分とする）における第４中心軸は、第５中心軸に対し垂直になっている。ここで、上記の第４中心軸とは、先の部分が向く方向に平行な先の部分の中心軸をいい、上記の第５中心軸とは、浄水器用フィルタカートリッジの長手方向に平行な浄水器用フィルタカートリッジの中心軸をいう。このような機構を採用することで、浄水器用フィルタカートリッジをホルダに取り付ける際には、浄水器フィルタカートリッジの先端部がホルダに差し込まれた状態で、引き出しの底面板の面に対し第５中心軸が垂直となる。また、浄水器用フィルタカートリッジがホルダに取り付けられ、さらに収納される場合には、浄水器フィルタカートリッジの先端部がホルダに差し込まれた状態で、引き出しの底面板の面に対し第５中心軸が平行となる。すなわち、この実施形態では、浄水器用フィルタカートリッジの先端部が前記ホルダに差し込まれた状態で、その浄水器用フィルタカートリッジは第４中心軸回りに回転可能となる。なお、この第４の実施形態においても、引き出しが備えるホルダが有する開口部に、浄水器用フィルタカートリッジを引き出しの内側から着脱可能に装着することができる。
このような実施形態とすると、バヨネット機構によるホルダ（の浄水器用フィルタカートリッジ接続部）への浄水器用フィルタカートリッジの着脱の回転運動が、そのまま浄水器用フィルタカートリッジの第５中心軸に垂直なホルダの第４中心軸に対しての回転運動となる。浄水器用フィルタカートリッジを取り外す際に、浄水器用フィルタカートリッジの第５中心軸が引き出しの底面板に対して起き上がることとなるので、浄水器用フィルタカートリッジの交換作業がより容易なものとなると、同時に、収納時には、浄水器用フィルタカートリッジの第５中心軸を引き出し６の底面板に対し平行とすることができ、引き出し６を閉める際に邪魔にならず収納性により優れたものとすることができる。
【００５５】
また、この場合、バヨネット機構による回転が意図せず行われないように、第３の実施形態で示したように、クランプ部材を備えた支持部を有していることは好ましい。
以上の第１〜第４の実施形態の説明から、浄水器用フィルタカートリッジを着脱可能に装着し得るホルダが引き出しを構成するいずれかの面（引き出しが、直方体の形状である場合、背面板、底面板、側面板、前面板のいずれかの面）に固定されることが示されている。
【産業上の利用可能性】
【００５６】
本発明は、水道水を浄化する浄水器を収納し得る流し台に関し、特は、家庭用の引き出しタイプの収納部を有したシステム化された流し台に利用することができる。また、家庭用に限らず、浄水器を収納し得る業務用の流し台にも利用できる。
【符号の説明】
【００５７】
１  流し台
２、１０２、２０２  浄水器
３、１０３、２０３  浄水器用フィルタカートリッジ
４、１０４、２０４  浄水器用フィルタカートリッジ接続部
５、１０５、２０５  ホルダ
６、１０６、２０６  引き出し
７  シンク
８  水栓
９  側面パネル
１０  固定部
１１  原水ホース
１２  浄水ホース
１３  原水導入部
１４  浄水導出部
１７、１１７、２１７  原水入口
１８、１１８、２１８、浄水出口
２０  第１中心軸
２１  第２中心軸
２２、２２２  先端部
２３  小径Ｏリング
２４  大径Ｏリング
２５  バヨネット機構としての凸部
２６  バヨネット機構としての凹部
２７  円形開口
２８  回転軸穴
２９  Ｌ字型部材
３０  回転軸
３１  ゴム部材
３２  足部分
３３  第３中心軸
４１、１４１、２４１  背面板  
４２、２４２  支持部  
４３、１４３、２４３  開口
４４  仕切り部材
４５、２４５  底面板  
２４６  クランプ部材
【図１】
2016096947.tif 000003
【図２】
2016096947.tif 000004
【図３】
2016096947.tif 000005
【図４】
2016096947.tif 000006
【図５】
2016096947.tif 000007
【図６】
2016096947.tif 000008
【図７】
2016096947.tif 000009
【図８】
2016096947.tif 000010
【図９】
2016096947.tif 000011
【図１０】
2016096947.tif 000012
【図１１】
2016096947.tif 000013